(57)【特許請求の範囲】
【請求項１】
粉末を加圧成形する打錠機の杵の頭部に埋設され、ＩＣチップおよびコイルアンテナを有するＩＣインレットが内蔵されたＩＣタグ保有体であって、
前記ＩＣインレットは、前記ＩＣタグ保有体の中心軸線に対して平行であり、かつ中心軸線より所定の距離だけシフトした位置に設置される、
または、
ＩＣリーダと通信するためのリーダ交信アンテナ、前記ＩＣインレットと通信するためのインレット磁界結合アンテナ、および、それらを接続する中継ケーブルを有するアンテナ中継器を備え、前記リーダ交信アンテナは、前記打錠機の杵の頭部表面側に設置され、前記インレット磁界結合アンテナは、前記打錠機の杵の頭部表面から所定の深さに設置された前記ＩＣインレットに対向して設置される
ことを特徴とするＩＣタグ保有体。
【請求項２】
請求項１に記載のＩＣタグ保有体であって、
前記アンテナ中継器を備え、前記リーダ交信アンテナは、前記打錠機の杵の頭部表面側に設置され、前記インレット磁界結合アンテナは、前記打錠機の杵の頭部表面から所定の深さに設置された前記ＩＣインレットに対向して設置され、
前記リーダ交信アンテナは、前記打錠機の杵の頭部表面と平行な面における配線幅よりも、前記打錠機の杵の頭部表面と直交する方向の厚みが大きい
ことを特徴とするＩＣタグ保有体。
【請求項３】
請求項１または２に記載のＩＣタグ保有体であって、
前記アンテナ中継器を備え、前記リーダ交信アンテナは、前記打錠機の杵の頭部表面側に設置され、前記インレット磁界結合アンテナは、前記打錠機の杵の頭部表面から所定の深さに設置された前記ＩＣインレットに対向して設置され、
前記中継ケーブルは、奇数回捻られ、
前記ＩＣインレットは、前記打錠機の杵の頭部表面に対して平行に設置され、
前記リーダ交信アンテナと前記インレット磁界結合アンテナとに流れる電流は、前記打錠機の杵の頭部表面に対して同一方向となる
ことを特徴とするＩＣタグ保有体。
【請求項４】
請求項１または２に記載のＩＣタグ保有体であって、
前記アンテナ中継器を備え、前記リーダ交信アンテナは、前記打錠機の杵の頭部表面側に設置され、前記インレット磁界結合アンテナは、前記打錠機の杵の頭部表面から所定の深さに設置された前記ＩＣインレットに対向して設置され、
前記ＩＣインレットは、前記打錠機の杵の頭部表面に対して平行に設置され、
前記リーダ交信アンテナと前記インレット磁界結合アンテナとは、前記リーダ交信アンテナと前記インレット磁界結合アンテナの直径以上離して設置される
ことを特徴とするＩＣタグ保有体。
【請求項５】
請求項１または２に記載のＩＣタグ保有体であって、
前記アンテナ中継器を備え、前記リーダ交信アンテナは、前記打錠機の杵の頭部表面側に設置され、前記インレット磁界結合アンテナは、前記打錠機の杵の頭部表面から所定の深さに設置された前記ＩＣインレットに対向して設置され、
前記ＩＣインレットは、前記打錠機の杵の頭部表面に対して平行に設置され、
前記リーダ交信アンテナと前記インレット磁界結合アンテナとの間には、磁界を遮断する磁界遮断板が設置される
ことを特徴とするＩＣタグ保有体。
【発明の詳細な説明】
【技術分野】
【０００１】
本発明は、錠剤を形成する際に用いられる打錠機に装着されるＩＣタグ保有体に関する。
【背景技術】
【０００２】
薬や健康食品等の錠剤を形成するために、ロータリプレス装置が用いられている。ロータリプレス装置は、鏡面仕上げされた上杵、下杵および臼を装着可能となっている。このロータリプレス装置を用いて錠剤を形成する場合、薬剤等を形成するための粉末を臼に入れ、その臼に対して上杵と下杵が上下から挿入されて粉末を加圧する。それにより、粉末が固められて錠剤が形成される。ここで、錠剤の形状は、上杵および下杵の凹部形状で決定されるが、これら上杵、下杵および臼を識別するために、たとえば外周面のようなピストン運動の摺動が及ばない平滑面には、個体識別番号等が刻印されている。【０００３】
このような上杵、下杵および臼を１組として、多数の組がロータリプレス装置に装着されている。ここで、上杵、下杵および臼から構成される金型セットは、錠剤の形状や錠剤に押印する刻印等によって互いに対応付けられている。そのため、正しい組み合せの金型セットをロータリプレス装置に装着する必要があるが、誤った金型セットをロータリプレス装置に装着してしまうと、たとえば刻印ミスとなった状態の錠剤を大量に生産してしまうことになる。そのため、現状では、上杵、下杵および臼の個体識別番号等を、作業者の目視により確認して、正しい組み合わせの金型セットとなるようにしてロータリプレス装置に装着している。【０００４】
このようなロータリプレス装置としては、たとえば特許文献１に開示のものがある。
【先行技術文献】
【特許文献】
【０００５】
【特許文献１】特開２０１０−９４７１７号公報
【発明の概要】
【発明が解決しようとする課題】
【０００６】
特許文献１に開示のようなロータリプレス装置においては、作業者は、上述のように、目視によって、正しい組み合わせの上杵、下杵および臼を装着している。そのため、装着ミス等の人為的ミスを確実に防止することが困難となっている。すなわち、上杵、下杵および臼に刻印されている個体識別番号は、レーザ等によって小さい字で刻印される場合が多く、目視がし難い場合が多い。そのため、金型セットがロータリプレス装置に正しく装着されない場合がある。【０００７】
また、上杵、下杵および臼を装着した後にも、次のような問題がある。すなわち、上杵および下杵には、錠剤を形成する際に高い圧力がかかり、その先端側の錠剤を形成する部位では、打錠回数に応じた摩耗が生じる。そして、所定の摩耗量を超えると、錠剤の成形不良が生じたり、錠剤への刻印が不明瞭になる他、薬剤分量が変化する等してしまい、不良品の錠剤を大量に生産してしまう虞がある。したがって、上杵、下杵および臼に関して、所定の摩耗量を超えたか否かも適切に管理する必要があるが、そのような管理を目視で正確に行うことも困難となっている。【０００８】
本発明は上記の事情にもとづきなされたもので、その目的とするところは、装着ミスを低減すると共に、装着後の打錠回数管理も適切に行うことが可能なロータリプレス装置を実現するためのＩＣタグ保有体を提供するものである。
【課題を解決するための手段】
【０００９】
上記課題を解決するために、本発明の第１の観点によると、粉末を加圧成形する打錠機の杵の頭部に埋設され、ＩＣチップおよびコイルアンテナを有するＩＣインレットが内蔵されたＩＣタグ保有体であって、ＩＣインレットは、ＩＣタグ保有体の中心軸線に対して平行であり、かつ中心軸線より所定の距離だけシフトした位置に設置される、または、ＩＣリーダと通信するためのリーダ交信アンテナ、ＩＣインレットと通信するためのインレット磁界結合アンテナ、および、それらを接続する中継ケーブルを有するアンテナ中継器を備え、リーダ交信アンテナは、打錠機の杵の頭部表面側に設置され、インレット磁界結合アンテナは、打錠機の杵の頭部表面から所定の深さに設置されたＩＣインレットに対向して設置されることを特徴とするＩＣタグ保有が提供される。【００１０】
また、本発明の他の側面は、上述の発明において、アンテナ中継器を備え、リーダ交信アンテナは、打錠機の杵の頭部表面側に設置され、インレット磁界結合アンテナは、打錠機の杵の頭部表面から所定の深さに設置されたＩＣインレットに対向して設置され、リーダ交信アンテナは、打錠機の杵の頭部表面と平行な面における配線幅よりも、打錠機の杵の頭部表面と直交する方向の厚みが大きいことが好ましい。【００１１】
さらに、本発明の他の側面は、上述の発明において、アンテナ中継器を備え、リーダ交信アンテナは、打錠機の杵の頭部表面側に設置され、インレット磁界結合アンテナは、打錠機の杵の頭部表面から所定の深さに設置されたＩＣインレットに対向して設置され、中継ケーブルは、奇数回捻られ、ＩＣインレットは、打錠機の杵の頭部表面に対して平行に設置され、リーダ交信アンテナとインレット磁界結合アンテナとに流れる電流は、打錠機の杵の頭部表面に対して同一方向となることが好ましい。【００１２】
さらに、本発明の他の側面は、上述の発明において、アンテナ中継器を備え、リーダ交信アンテナは、打錠機の杵の頭部表面側に設置され、インレット磁界結合アンテナは、打錠機の杵の頭部表面から所定の深さに設置されたＩＣインレットに対向して設置され、ＩＣインレットは、打錠機の杵の頭部表面に対して平行に設置され、リーダ交信アンテナとインレット磁界結合アンテナとは、リーダ交信アンテナとインレット磁界結合アンテナの直径以上離して設置されることが好ましい。【００１３】
また、本発明の他の側面は、上述の発明において、アンテナ中継器を備え、リーダ交信アンテナは、打錠機の杵の頭部表面側に設置され、インレット磁界結合アンテナは、打錠機の杵の頭部表面から所定の深さに設置されたＩＣインレットに対向して設置され、ＩＣインレットは、打錠機の杵の頭部表面に対して平行に設置され、リーダ交信アンテナとインレット磁界結合アンテナとの間には、磁界を遮蔽する磁界遮断板が設置されることが好ましい。
【発明の効果】
【００１４】
本発明によると、装着ミスを低減すると共に、装着後の管理も適切に行うことが可能なロータリプレス装置を実現するためのＩＣタグ保有体を提供することができる。
【図面の簡単な説明】
【００１５】
【図１】本発明の一実施の形態に係るロータリプレス装置の部分的な構成を示す斜視図である。
【図２】図１におけるロータリプレス装置のうちロータブロックと加圧ローラの構成を示す斜視図である。
【図３】図１に示すロータリプレス装置の全体構成を示す側断面図である。
【図４】本発明の一実施の形態に係る上杵を上側から見た状態を示す斜視図である。
【図５】図４に示す上杵を下側から見た状態を示す斜視図である。
【図６】図４に示す上杵と共に、下杵と臼部材を示す側面図であり、これらが同一軸線上に配置された状態を示す図である。
【図７】図４に示す杵部材のタグ挿入穴を拡大して示すと共に、このタグ挿入穴に挿入されるＩＣタグを示す側断面図である。
【図８】図６に示す下杵を上側から見た状態を示す斜視図である。
【図９】図６に示す下杵を下側から見た状態を示す斜視図である。
【図１０】図６に示す臼部材の構成を示す斜視図である。
【図１１】図７に示すＩＣタグの第１の構成例を示す斜視図である。
【図１２】ＩＣインレットの構成を示す斜視図である。
【図１３】図１に示すロータリプレス装置のタグ検出部を示すと共に、磁力線がタグ検出部のコイルアンテナと、ＩＣタグのコイルアンテナを通過し、両者の間にトランス結合を生じさせる状態を示す図である。
【図１４】空気逃がし溝について説明するための図である。
【図１５】ＩＣタグの第２の構成例を示す斜視図である。
【図１６】図１５に示すＩＣタグにおける、タグ検出部のコイルアンテナとＩＣタグのＩＣインレットのコイルアンテナとの通信について説明するための図である。
【図１７】中継ケーブルの構成例について説明するための図である。
【図１８】中継ケーブルの構成例について説明するための図である。
【図１９】中継ケーブルの構成例について説明するための図である。
【図２０】シート基板を用いた場合について説明するための図である。
【図２１】ＩＣタグの第３の構成例を示す斜視図である。
【図２２】ＩＣタグの第４の構成例を示す斜視図である。
【図２３】図２２に示すＩＣタグにおける、タグ検出部のコイルアンテナとＩＣタグのＩＣインレットのコイルアンテナとの通信について説明するための図である。
【図２４】ＩＣタグの第５の構成例を示す斜視図である。
【図２５】図２３に示すＩＣタグにおける、タグ検出部のコイルアンテナとＩＣタグのＩＣインレットのコイルアンテナとの通信について説明するための図である。
【図２６】ＩＣタグの第６の構成例を示す斜視図である。
【図２７】図２６に示す磁界遮断板について説明するための図である。
【図２８】図２６に示すＩＣタグにおける、タグ検出部のコイルアンテナとＩＣタグのＩＣインレットのコイルアンテナとの通信について説明するための図である。
【発明を実施するための形態】
【００１６】
以下、本発明の一実施の形態に係る、ロータリプレス装置１０（打錠機に対応する）、上杵１００、下杵１１０、臼部材１２０およびＩＣタグ２００について、図面に基づいて説明する。
【００１７】
＜１．ロータリプレス装置１０の基本構成について＞
図１は、ロータリプレス装置１０の部分的な構成を示す斜視図である。図２は、ロータリプレス装置１０のうちロータブロック３０と上加圧ローラ５０および下加圧ローラ６０の構成を示す斜視図である。図３は、ロータリプレス装置１０の全体構成を示す側断面図である。図１から図３に示すように、ロータリプレス装置１０は、ロータ支持部２０と、ロータブロック３０と、ローラ支柱４０と、上加圧ローラ５０と、下加圧ローラ６０と、錠剤排出機構７０と、タグ検出部８０とを主要な構成要素としているが、その他にモータのような駆動源（後述）やローラ押圧機構（後述）等を制御する制御部（図示省略）が設けられている。
【００１８】
ロータ支持部２０には、図示を省略するロータ載置盤２１と、そのロータ載置盤２１の中央に位置する回転軸２２が設けられている。この回転軸２２は、ロータブロック３０のユニット軸３６と連結される。また、回転軸２２は、図示を省略するモータ等の駆動源によって回転力が与えられる。そのため、ロータ支持部２０によってロータブロック３０が支持されつつ、回転駆動可能となっている。
【００１９】
ロータブロック３０は、上述したユニット軸３６を備えると共に、そのユニット軸３６の外周側に、上ガイド部３１と、上杵ロータ部３２と、臼ロータ部３３と、下杵ロータ部３４と、下ガイド部３５とを配置している。上ガイド部３１は、上杵ロータ部３２等とは異なってユニット軸３６に対して軸受等を介して回転自在に設けられている。したがって、ユニット軸３６と共に上杵ロータ部３２等が回転した場合でも、この上ガイド部３１を別途の固定的な部位に係止させることで、非回転とすることができる。
【００２０】
この上ガイド部３１は、ガイドレール支持盤３１１を備え、そのガイドレール支持盤３１１に一対の上杵ガイドレール３１２が取り付けられている。上杵ガイドレール３１２は弧状に設けられていて、その弧状の内周側には、後述する上杵１００のくびれ部１０３が嵌まり込む内周凸部３１ａが設けられている。上ガイド部３１を周方向に沿って進行すると、内周凸部３１ａの高さは変動する。そのため、くびれ部１０３にて内周凸部３１ａが嵌まり込んでいる上杵１００は、上杵ロータ部３２の回転に従って上下動する構成となっている。
【００２１】
なお、一対の上杵ガイドレール３１２には、上杵１００を臼部材１２０に向けて降下させるための降下用ガイドレール３１２Ａと、上杵１００を臼部材１２０から上方に退避させるための上昇ガイドレール３１２Ｂとを有している。そして、これら降下用ガイドレール３１２Ａと上昇ガイドレール３１２Ｂの間の位置に、後述する上加圧ローラ５０が位置する構成となっている。
【００２２】
なお、上ガイド部３１には、上杵１００を装着孔３２ａから脱落させないような不図示の支持部も設けられている。
【００２３】
上杵ロータ部３２は、上述したユニット軸３６と共に、一体的に回転する部分である。この上杵ロータ部３２は、多数の装着孔３２ａを備えていて、それぞれの装着孔３２ａには、上杵１００が摺動可能な状態で保持されている。なお、装着孔３２ａは、数十個設けられているが、その個数は限定されるものではない。
【００２４】
また、臼ロータ部３３は、臼部材１２０を保持する円盤状の部材であり、上杵ロータ部３２と下杵ロータ部３４の間に設けられている。この臼ロータ部３３は、多数の装着孔３３ａを備えていて、それぞれの装着孔３３ａには、臼部材１２０が保持されている。なお、装着孔３３ａの個数は、上述した装着孔３２ａの個数と同数となっている。また、装着孔３２ａに保持される上杵１００と、装着孔３３ａに保持される臼部材１２０とは同一軸線に位置するように設けられている。
【００２５】
また、下杵ロータ部３４も、上述したユニット軸３６と共に、一体的に回転する部分である。この下杵ロータ部３４も、多数の装着孔３４ａを備えていて、それぞれの装着孔３４ａには、下杵１１０が摺動可能な状態で保持されている。なお、装着孔３４ａの個数は、上述した装着孔３２ａおよび装着孔３３ａの個数と同数となっている。また、装着孔３２ａに保持される上杵１００と、装着孔３３ａに保持される臼部材１２０および装着孔３４ａに保持される下杵１１０とは同一軸線に位置するように設けられている。
【００２６】
なお、上杵ロータ部３２および下杵ロータ部３４は、回転部材に対応している。なお、上杵ロータ部３２のみが回転部材に対応するものとしても良く、下杵ロータ部３４のみが回転部材に対応するものとしても良く、上杵ロータ部３２と下杵ロータ部３４の両方が杵部材に対応するものとしても良い。
【００２７】
また、下ガイド部３５は、下杵ロータ部３４よりも下方側に設けられている。ただし、下ガイド部３５は、下杵ロータ部３４よりも下方に位置している関係上、ユニット軸３６とは別途の位置に支持される。しかしながら、下ガイド部３５は、下杵１１０に係合するため、別途の位置での支持状態を解除すれば、ロータブロック３０の一部分として、ロータブロック３０の他の部分と一体に着脱できる。
【００２８】
下ガイド部３５も、上述した上ガイド部３１と同様に、ユニット軸３６に対して軸受等を介して回転自在に設けられている。したがって、ユニット軸３６と共に下杵ロータ部３４等が回転した場合でも、下ガイド部３５を別途の固定的な部位に係止させることで、非回転とすることができる。
【００２９】
この下ガイド部３５を周方向に沿って進行すると、上述した上ガイド部３１と同様に、下杵１１０の高さを変動させることができる。したがって、下杵ロータ部３４に装着されている下杵１１０は、下杵ロータ部３４の回転に従って上下動する構成となっている。なお、図２に示す構成では、下ガイド部３５は、下方側から下杵１１０の頭部１１４を受け止める構成となっているが、それ以外の構成を採用しても良い。
【００３０】
次に、ローラ支柱４０、上加圧ローラ５０および下加圧ローラ６０について説明する。ローラ支柱４０は、上下方向に延伸する部分であり、上加圧ローラ５０および下加圧ローラ６０を回転自在に支持している。このローラ支柱４０には、上加圧ローラ５０および下加圧ローラ６０を、上下動させると共に、所定の加圧力を与えるローラ押圧機構（図示省略）が存在している。
【００３１】
また、上加圧ローラ５０は、上述したように降下用ガイドレール３１２Ａと上昇ガイドレール３１２Ｂの間に位置している。図１および図２に示すように、装着孔３２ａに差し込まれている上杵１００は、上杵ロータ部３２の上面よりも上方に突出している。そのため、臼部材１２０の挿入孔１２３に錠剤等を形成するための粉末を供給し、その後に上杵１００が上加圧ローラ５０によって押圧されると共に、後述する下杵１１０が下加圧ローラ５０によって押圧されることで、錠剤が加圧成形される。
【００３２】
ここで、図１および図２に示すように、上加圧ローラ５０は一対設けられている。詳述すると、上加圧ローラ５０には、上予圧用ローラ５０Ａと、上本加圧用ローラ５０Ｂとが存在する。上予圧用ローラ５０Ａは、臼部材１２０の挿入孔１２３に供給されている粉末を予備的に加圧するものである。また、上本加圧用ローラ５０Ｂは、予備的に加圧された粉末を、本格的に加圧するためのものである。かかる上予圧用ローラ５０Ａおよび上本加圧用ローラ５０Ｂは、上杵１００の頭部１０４に位置し、上杵１００が挿入孔１２３の所定深さとなる位置まで押し込む。
【００３３】
また、下加圧ローラ６０にも、上述した上予圧用ローラ５０Ａと同様の下予圧用ローラ６０Ａと、上本加圧用ローラ５０Ｂと同様の下本加圧用ローラ６０Ｂとが存在している。なお、これら下予圧用ローラ６０Ａおよび下本加圧用ローラ６０Ｂの構成は、上述した上予圧用ローラ５０Ａおよび上本加圧用ローラ５０Ｂと同様であるため、その詳細についての説明は省略する。
【００３４】
また、ロータリプレス装置１０には、錠剤排出機構７０も設けられている。錠剤排出機構７０は、挿入孔１２３の内部で加圧成形され、下杵１１０によって挿入孔１２３から排出された錠剤を、外部に排出するための機構である。
【００３５】
また、ロータリプレス装置１０は、タグ検出部８０（図１３参照）も備えている。タグ検出部８０は、後述するＩＣタグ２００を検出する（ＩＣタグ２００は、ＩＣタグ保有体に対応する。また、図１３においては、ＩＣタグ２００の第１の構成例であるＩＣタグ２００ａが図示されているが、後述するＩＣタグ２００の他の例についても同様である）部分である。なお、図１３においては、タグ検出部８０が対向する部位の一例として、上杵１００の頭部１０４が示されている。しかしながら、タグ検出部８０は、下杵１１０の頭部１１４や、臼部材１２０の筒状部１２１の外周面と対向する配置としても良いのは勿論である。
【００３６】
上述のタグ検出部８０には、コイルアンテナ８１と、ケーブル８２とが設けられている。コイルアンテナ８１は、たとえば上杵１００、下杵１１０のタグ挿入穴１０４ｂ，１１４ｂに嵌め込まれているＩＣタグ２００のＩＣインレット２２０と対向する部分である。そして、ＩＣインレット２２０に存在するコイルアンテナ２２３と対向していて、これらコイルアンテナ８１とコイルアンテナ２２３の間を磁力線φが通過することにより、両者の間でトランス結合（磁界結合と称される場合もある）を生じさせる。
【００３７】
また、ケーブル８２は、コイルアンテナ８１に電気的に接続されていると共に、リーダ装置３００にも電気的に接続されている。リーダ装置３００は、ネットワーク等を介して上位システム３０１に接続されている。この上位システム３０１には、ＩＣタグ２００が取り付けられたワーク（上杵１００、下杵１１０および臼部材１２０）のＩＤや使用開始日等のデータが蓄えられる。また、ＩＣタグ２００からの応答がない場合には、ワーク（上杵１００、下杵１１０および臼部材１２０）の故障または寿命が到来したなどと判定する。
【００３８】
ここで、ワーク（上杵１００、下杵１１０および臼部材１２０）の無応答やショット回数の上限に到達した等の理由によって、ワークに寿命が到来したと上位システム３０１で判定された場合には、上位システム３０１は、ワークを自動的に発注できるシステムを構築することができる。また、ワークに寿命が到来していなくても、その寿命の到来が近いと判定された場合には、ワークの納期を加味した自動発注システムを構築することができる。
【００３９】
なお、タグ検出部８０には、リーダ装置３００が小さく一体化し含まれるものとしても良いが、リーダ装置３００が大きく別体とし含まれないものとしても良い。
【００４０】
＜２．上杵１００、下杵１１０および臼部材１２０について＞
図４は、上杵１００を上側から見た状態を示す斜視図である。図５は、上杵１００を下側から見た状態を示す斜視図である。図６は、上杵１００、下杵１１０および臼部材１２０の側面図であり、これらが同一軸線上に配置された状態を示す図である。
【００４１】
上杵１００および下杵１１０は、杵部材に対応している。なお、上杵１００のみが杵部材に対応するものとしても良く、下杵１１０のみが杵部材に対応するものとしても良く、上杵１００と下杵１１０の両方が杵部材に対応するものとしても良い。上杵１００は、たとえば鋼材等の金属を材質として形成されているが、窒化クロムコーティング等のような所定の表面処理を施すようにしても良い。
【００４２】
図４から図６に示すように、上杵１００は、本体部１０１と、挿入部１０２と、くびれ部１０３と、頭部１０４と、を有している。本体部１０１は、上杵１００の中で最も長尺状の円柱部分である。この本体部１０１は、上述した上杵ロータ部３２の装着孔３２ａに挿入される部分であり、この装着孔３２ａの内部を摺動可能となっている。また、挿入部１０２は、臼部材１２０の挿入孔１２３に挿入される部分であり、その挿入孔１２３に対応した直径を有している。
【００４３】
この挿入部１０２の端面には、錠剤加圧部１０２ａが設けられている。錠剤加圧部１０２ａの一例としては、たとえば最も多く流通しているレンズ型に対応させて湾曲した凹部形状が挙げられる。しかしながら、リング型の錠剤に対応させて錠剤加圧部１０２ａの中央部に突起部が存在するものであっても良く、その他の特殊形状の錠剤に対応させて錠剤加圧部１０２ａの形状が形成されていても良い。
【００４４】
また、くびれ部１０３は、本体部１０１と頭部１０４との間で、これらよりも直径が小さく設けられている部分である。そのため、くびれ部１０３を介して、上杵１００を保持することが可能となっている。
【００４５】
また、頭部１０４は、上杵１００の上部に位置する部分であり、くびれ部１０３よりも大径に設けられている。この頭部１０４の上面側には、上述したような上加圧ローラ５０が摺動する摺動面１０４ａが設けられている。この摺動面１０４ａは、中央部分が最も上方に突出するような湾曲した形状に設けられている。
【００４６】
この摺動面１０４ａには、タグ挿入穴１０４ｂが設けられている。タグ挿入穴１０４ｂには、後述するＩＣタグ２００が挿入される。ただし、摺動面１０４ａには、上述のように上加圧ローラ５０が摺動する。そのため、図４に示すように、摺動面１０４ａとＩＣタグ２００とは面一に設けられるようにしてもよいが、この部分は、上加圧ローラ５０からの打撃のために高い圧力を受けるので、摺動面１０４ａの面に対して、ＩＣタグ２００の面を少し低くすることにより、ＩＣタグ２００への直接打撃の衝撃を逃がすようにすると好適である。摺動面１０４ａには、タグ挿入穴１０４ｂとＩＣタグ２００の境界の輪郭が存在している。
【００４７】
図７は、タグ挿入穴１０４ｂを拡大して示すと共に、このタグ挿入穴１０４ｂに挿入されるＩＣタグ２００を示す側断面図である。ＩＣタグ２００は、ＩＣタグ保有体に対応する。図７においては、ＩＣタグ２００の第１の構成例であるＩＣタグ２００ａについて図示している（ＩＣタグ２００の他の構成例については後述する）。図７に示すように、タグ挿入穴１０４ｂの内周面には、ネジ状ではなくリング状の鋭角な凸部から構成される、換言すれば、閉じた円形の複数の凸部から構成されるリング状凸部１０４ｂ１が設けられている。
【００４８】
ＩＣタグ２００ａは、タグ保持部２１０aと、ＩＣインレット２２０とを有している。タグ保持部２１０ａは、誘電性樹脂材料で形成された樹脂を材質として形成されている。上杵１００、下杵１１０および臼部材１２０には、錠剤等を形成する際に大きな衝撃が加わり、その回数は、例えば、１００万回にも及ぶ。そのため、ＩＣタグ２００ａは、大きな衝撃を何度受けても、タグ挿入穴１０４ｂから浮いたり、抜け落ちることがないようにする必要がある。図７に示されるような構成においては、ＩＣタグ２００ａがタグ挿入穴１０４ｂの定位置に嵌め込まれた場合、樹脂材料で形成されたタグ保持部ａの外周に、タグ挿入穴１０４ｂの内周面に設けられたリング状凸部１０４ｂ１の鋭角な凸部が多段に食い込むため、この食い込みの高い抵抗により、簡単な構成で、脱落を防止することが可能になる。
【００４９】
また、ＩＣタグ２００ａがタグ挿入穴１０４ｂの定位置に嵌め込まれたのち、その間に発生する微小空間にさらに樹脂等を封入することにより、更に脱落を防止することが可能になる。
【００５０】
また、上述したように、上杵１００、下杵１１０および臼部材１２０には、錠剤等を形成する際に大きな衝撃が加わり、その回数は、例えば、１００万回にも及ぶため、ＩＣタグ２００ａのＩＣインレット２２０には、強い衝撃が何度もかかってしまう。これよって、例えば、ＩＣインレット２１０に内蔵されているコイルアンテナが接続不良になったり、破断したり、または、ＩＣチップが故障してしまう（ＩＣインレット２１０の内部構造については図１２を用いて後述する）などの故障が発生してしまうことを防止する必要がある。
【００５１】
そのため、ＩＣタグ２００ａのＩＣインレット２２０は、摺動面１０４ａと平行な面に対して直角に近い角度で設置されている。これにより、ＩＣインレット２２０は、摺動面１０４ａと平行な面に対して与えられる衝撃の影響を受けにくくなる。摺動面１０４ａと平行な面に対するＩＣインレット２２０の設置角度は、９０度が好適であるが、例えば、４５度〜９０度〜１３５度の範囲であってもよい。また、ＩＣタグ２００ａのＩＣインレット２２０は、ＩＣタグ２００ａの中心軸線を避けて設置される。ＩＣタグ２００ａの詳細や、ロータリプレス装置１０のタグ検出部８０との通信についての詳細は後述する。
【００５２】
図８は、下杵１１０を上側から見た状態を示す斜視図である。図９は、下杵１１０を下側から見た状態を示す斜視図である。下杵１１０は、上述した上杵１００と同様の材質から形成されているが、異なった材質から形成されていても良い。この下杵１１０も、上述した上杵１００と同様に、本体部１１１と、挿入部１１２と、くびれ部１１３と、頭部１１４とを有している。
【００５３】
ここで、図８および図９から明らかなように、挿入部１１２は、上杵１００の挿入部１０２よりも長く設けられている。すなわち、臼部材１２０の挿入孔１２３の内部で加圧成形された錠剤は、挿入孔１２３から排出する必要がある。そのため、挿入部１１２は挿入孔１２３の軸線方向の長さと同程度か、この挿入孔１２３の軸線方向の長さよりも長く設けられている。なお、挿入部１１２にも、錠剤加圧部１１２ａが設けられていて、その錠剤加圧部１１２ａの構成は、上述の錠剤加圧部１０２ａと同様となっている。
【００５４】
なお、下杵１１０と臼部材１２０とをロータリプレス装置１０に装着した状態においては、挿入部１１２の少なくとも一部は、臼部材１２０の挿入孔１２３の内部に常に挿入された状態とすることもできる。挿入部１１２の錠剤加圧部１１２ａでは、挿入孔１２３に投入された粉末を下方側から受け止める必要があるからである。
【００５５】
下杵１１０の頭部１１４の摺動面１１４ａには、上述したタグ挿入穴１０４ｂと同様のタグ挿入穴１１４ｂが設けられている。そして、この同様のタグ挿入穴１１４ｂにも、リング状凸部１１４ｂ１が設けられている（図７）。なお、本体部１１１、くびれ部１１３の構成は、上述した本体部１０１、挿入部１０２、くびれ部１０３および頭部１０４と同様の構成となっている。そのため、これらについての説明は省略する。
【００５６】
次に、臼部材１２０について説明する。図１０は、臼部材１２０の構成を示す斜視図である。図７および図１０に示すように、臼部材１２０は、筒状に形成された筒状部１２１を備えているが、その筒状部１２１の外周側のうち、高さ方向の中央部分には、周状のガイド凹部１２２が設けられている。かかるガイド凹部１２２の存在により、臼部材１２０が臼ロータ部３３の装着孔３３ａに挿入された場合でも、装着孔３３ａの内部で臼部材１２０が移動するのを防止可能となる。
【００５７】
また、臼部材１２０のうち、筒状部１２１で囲まれた内部側には、挿入孔１２３が存在している。挿入孔１２３は、上述した挿入部１０２および挿入部１１２を挿入する孔部分であり、上述した挿入部１０２および挿入部１１２に対応した内径を有している。すなわち、挿入部１０２および挿入部１１２は、挿入孔１２３に対して摺動可能な程度のクリアランスを有している。
【００５８】
ここで、筒状部１２１の外周面のうち、ガイド凹部１２２よりも上方側または下方側には、内径側に向かって窪むようにタグ挿入穴１２４が設けられている。このタグ挿入穴１２４には、上述したタグ挿入穴１０４ｂ，１１４ｂと同様に、リング状凸部１２４ａが設けられている（図７）。
【００５９】
＜３．ＩＣタグ２００について＞
続いて、ＩＣタグ２００について説明する。図１１は、ＩＣタグ２００の第１の構成例であるＩＣタグ２００ａの構成を示す斜視図である。図１１に示すように、ＩＣタグ２００ａは、タグ保持部２１０ａと、ＩＣインレット２２０とを有している。タグ保持部２１０ａは、誘電性樹脂材料で形成された樹脂を材質として形成されている。そのような樹脂としては、たとえばポリエーテルエーテルケトン（ＰＥＥＫ）が挙げられるが、これ以外の樹脂を材質としても良い。また、タグ保持部２１０ａは、例えば、磁路の流れを良くするために、誘電性樹脂材料以外に、磁性体の粉末、または誘電体と磁性体の粉末の混合体などを用いるようにしても良い。
【００６０】
タグ保持部２１０ａは、円柱状に設けられていて、その直径は上述したタグ挿入穴１０４ｂ，１１４ｂ，１２４に対応した大きさとなっている。円柱状のタグ保持部２１０ａの外周面は、上述したタグ挿入穴１０４ｂ，１１４ｂ，１２４のリング状凸部１０４ｂ１，１１４ｂ１，１２４ａの鋭角な凸部が多段に食い込むため、この食い込みの高い抵抗により、簡単な構成で、ＩＣタグ２００ａがタグ挿入穴１０４ｂ，１１４ｂ，１２４から抜け難い構成となっている。
【００６１】
また、図７に示すように、ＩＣインレット２２０は、摺動面１０４ａと平行な面に対して直角（９０度）または直角から所定範囲内の角度（４５度〜９０度、または９０度〜１３５度）で設置されている。これにより、摺動面１０４ａと平行な面に対して受ける打撃によってＩＣインレット２２０が受ける衝撃を軽減させることができる。なお、ＩＣインレット２２０が受ける衝撃を低減させるためには、ＩＣインレット２２０は、摺動面１０４ａと平行な面に対して４５度以上であることが好ましく、６０度以上１２０度以下、すなわち、９０度プラスマイナス３０度以内であることが特に好ましい。６０度以上１２０度以下となる場合、ＩＣインレット２２０の摺動面１０４ａへの投影面積がＩＣインレット２２０の一辺の長さの１／２以下となり、衝撃を半分以下に大幅に低減できるためである。
【００６２】
続いて、ＩＣインレット２２０について説明する。図１２は、ＩＣインレット２２０の構成を示す斜視図である。図１２に示すように、ＩＣインレット２２０は、ＩＣタグ基板２２１と、ＩＣチップ２２２と、コイルアンテナ２２３とを備えている。ＩＣタグ基板２２１は、略矩形状をなす平板形状に形成されている。ＩＣタグ基板２２１としては、たとえばガラスエポキシ基板あるいはＰＥＴを始めとした樹脂製のフィルムを用いることができる。ＩＣタグ基板２２１は、ＩＣチップ２２２と、コイルアンテナ２２３とを有しているが、そのうちＩＣチップ２２２は、各種のデータを記憶する。
【００６３】
図１３は、ロータリプレス装置１０のタグ検出部８０を示すと共に、タグ検出部８０のコイルアンテナ８１と、ＩＣタグ２００ａのＩＣインレット２２０内部のコイルアンテナ２２３の２つのコイルの間に生じるトランス結合のための相互誘導磁界φの状態を示す図である。図１３に示すように、本実施の形態では、ＩＣインレット２２０は、ＩＣタグ２００ａの中心軸線を避けて設置される。ＩＣインレット２２０がＩＣタグ２００ａの中心軸線を通る位置に配置された場合、ＩＣインレット２２０に内蔵されているコイルアンテナ２２３を貫通する磁界φがなくなるため、相互誘導が発生せず、タグ通信ができなくなってしまう。ＩＣインレット２２０をＩＣタグ２００ａの中心軸線を避けて、摺動面１０４ａと平行な面に対して直角に近い角度で配置することにより、タグ検出部８０のコイルアンテナ８１と、ＩＣタグ２００ａのコイルアンテナ２２３とが相互誘導磁界φで結合する。それにより、コイルアンテナ２２３を介して、ＩＣチップ２２２に対して情報の読み出しおよび情報の書き込みが可能となる。図１３では、相互誘導磁界φが中心軸線に対し左右対称に分布し、このうち、ＩＣインレット２２０に近い側が相互誘導し、タグ通信に寄与していることが示されている。
【００６４】
また、図１３に示されるように、ＩＣタグ２００ａの表面は、摺動面１０４ａよりも距離ｓだけ低くなるように、換言すれば、タグ挿入穴１０４ｂ，１１４ｂ，１２４の深さに対して、ＩＣタグ２００ａの高さがｓだけ低くなるようにすると、摺動面１０４ａに強い打撃を受けた時の衝撃をＩＣタグ２００ａが受けにくくなるため、好適である。
【００６５】
また、タグ挿入穴１０４ｂ，１１４ｂ，１２４に対してＩＣタグ２００ａを嵌め込むときに、その間の空気を逃がして嵌め込みやすくするように、ＩＣタグ２００ａには、図１４に示されるように、空気逃がし溝３５１を設けてもよい。図１４では、空気逃がし溝３５１が４つ設けられているものとして図示しているが、空気逃がし溝３５１の数は、この限りではない。
【００６６】
次に、図１５および図１６を用いて、ＩＣタグ２００の第２の構成例であるＩＣタグ２００ｂについて説明する。図１５は、ＩＣタグ２００ｂの構成を示す斜視図である。図１６は、タグ検出部８０のコイルアンテナ８１とＩＣタグ２００ｂのＩＣインレット２２０のコイルアンテナ２２３との通信について説明するための図である。
【００６７】
上述したＩＣタグ２００ａにおいては、摺動面１０４ａ、摺動面１１４ａ、または、筒状部１２１の表面（以下、摺動面１０４ａ等とする）と平行な面に対して直角に近い角度でＩＣインレット２２０が配置されているため、タグ検出部８０のコイルアンテナ８１の面に対してコイルアンテナ２２３が面している部分が少なく、相互誘導磁界φのタグ通信に寄与する部分が減少する。これに対して、図１５および図１６のＩＣタグ２００ｂは、タグ検出部８０のコイルアンテナ８１とＩＣインレット２２０のコイルアンテナ２２３との通信性能をさらに良好にするものである。
【００６８】
図１５に示すように、ＩＣタグ２００ｂは、ＩＣタグ２００ａと同様に、タグ保持部２１０ｂと、ＩＣインレット２２０とを有しているとともに、更に、リーダ交信アンテナ４０１、インレット磁界結合アンテナ４０２、および、それらを接続する中継ケーブル４０３を有している。リーダ交信アンテナ４０１、インレット磁界結合アンテナ４０２、および、中継ケーブル４０３は、アンテナ中継器に対応する。リーダ交信アンテナ４０１は、タグ検出部８０のコイルアンテナ８１と対向するように配置され、インレット磁界結合アンテナ４０２は、ＩＣインレット２２０に直近対向するように配置される。
【００６９】
ＩＣタグ２００ｂにおいては、リーダ交信アンテナ４０１、インレット磁界結合アンテナ４０２、および、それらを接続する中継ケーブル４０３によって、タグ通信に必要な高周波電流が流れる回路が形成される。これにより、タグ検出部８０のコイルアンテナ８１とリーダ交信アンテナ４０１を対向させることができるとともに、リーダ交信アンテナ４０１と中継ケーブル４０３により接続されたインレット磁界結合アンテナ４０２は、ＩＣインレット２２０に直近対向させることができる。すなわち、ＩＣタグ２００ｂにおいては、図１６に示すように、リーダ交信アンテナ４０１と、タグ検出部８０のコイルアンテナ８１とがトランス結合するとともに、インレット磁界結合アンテナ４０２とＩＣインレット２２０のコイルアンテナ２２３とがトランス結合することができるようになされている。
【００７０】
このような構成を有することにより、ＩＣタグ２００ｂのＩＣインレット２２０を、ＩＣタグ２００ｂの摺動面１０４ａ等側の表面から離して設置することができる。したがって、ＩＣタグ２００ｂは、タグ通信の感度をより向上させつつ、ＩＣタグ２００ｂが打撃等で受ける衝撃によりＩＣインレット２２０が故障してしまうことを防ぐことができるように構成されている。また、ＩＣタグ２００ｂにおいては、ＩＣタグ２００ｂが打撃等で受ける衝撃により、リーダ交信アンテナ４０１が切断するようなことがあっても、ＩＣインレット２２０が故障しない限り、例えば、ＩＣタグ２００ｂのタグ保持部２１０ｂからＩＣインレット２２０を注意深く掘り出すことなどにより、ＩＣインレット２２０のＩＣチップ２２２に保持されている情報を読み取ることが可能となる。
【００７１】
リーダ交信アンテナ４０１およびインレット磁界結合アンテナ４０２の回路全長（中継ケーブル４０３は含まない）は、タグ通信に使用する高周波の波長λに対して無視できる程度の長さとすることにより、位相差による感度低下を無視することができる。例えば、９２０ＭＨｚの周波数にて動作させる場合、目安ではあるが、回路の配線長の全長を４０ｍｍ程度とすることにより、位相差による感度低下に影響されることなく、良好な通信を行うことが可能である。
【００７２】
なお、図１５および図１６においては、リーダ交信アンテナ４０１およびインレット磁界結合アンテナ４０２を１回巻きのコイル状アンテナとして図示しているが、コイルの巻き数はこの限りではなく、一般的には、アンテナ径が小さいほど、巻き数は多くなる。例えば、９２０ＭＨｚの周波数にて動作させる場合、巻き数は、多くても２〜３程度となる。また、ＩＣタグ２００ｂにおいても、図１４を用いて説明した空気逃がし溝３５１を設けてもよいことは言うまでもない。
【００７３】
ＩＣタグ２００ｂにおいては、図１５および図１６に示されるように、摺動面１０４ａ等と平行な面に対して、直角、または、直角に近い角度でＩＣインレット２２０が設置されているので、リーダ交信アンテナ４０１とタグ検出部８０のコイルアンテナ８１との間で発生する相互誘導磁界φと、インレット磁界結合アンテナ４０２とＩＣインレット２２０のコイルアンテナ２２３との間で発生する相互誘導磁界φとは独立しているとみなしてよい。さらに、ＩＣタグ２００ｂにおいては、それぞれの相互誘導磁界φが重なって通信に悪影響を及ぼさない限りにおいて、ＩＣインレット２２０を、どのような向きでどのような位置に設置しても構わない。このように、ＩＣタグ２００ｂは、図１５および図１６に示されるように、良好な通信を実現しつつ、ＩＣタグ２００ｂの径のサイズを、ＩＣインレット２２０の外接円の径ではなく、ＩＣインレット２２０の内接円の径またはＩＣインレット２２０の一辺と同等とすることができ、より一層の小型化が可能となる。
【００７４】
また、中継ケーブル４０３は、絶縁被覆導線を一定間隔で配線する、すなわち電磁気学でよく知られたケーブル設計に従うことで、減衰を少なくすることができる。中継ケーブル４０３は、図１７に示されるように、芯線４２１をそれぞれ絶縁被覆４２２で覆った２本の導体（平行リボンケーブル）からなる中継ケーブル４０３aであってもよい。図１７（Ａ）に、中継ケーブル４０３aの側面図を、図１７（Ｂ）に、中継ケーブル４０３aの断面図をそれぞれ示す。
【００７５】
また、中継ケーブル４０３は、図１８に示されるように、一本の芯線４２１をそれぞれ絶縁被覆４２２で覆った２本の導体を絡げたもの（ツイストペアケーブル）からなる中継ケーブル４０３ｂであってもよい。図１８（Ａ）に、中継ケーブル４０３ｂの側面図を、図１８（Ｂ）に、中継ケーブル４０３ｂの断面図をそれぞれ示す。中継ケーブル４０３ｂを用いた場合、ケーブルのねじり構造が有する伸縮効果により、摺動面１０４ａ等が受ける打撃などによる衝撃がＩＣインレット２２０に伝わりにくく、衝撃緩衝効果を奏することが可能となる。
【００７６】
また、中継ケーブル４０３は、図１９に示されるように、１本の芯線４２１を絶縁被覆４２２で覆い、これらの表面を覆う外部導体４２１ｂ（同軸ケーブル）からなる中継ケーブル４０３ｃであってもよい。図１９（Ａ）に、中継ケーブル４０３ｃの側面図を、図１９（Ｂ）に、中継ケーブル４０３ｃの断面図をそれぞれ示す。
【００７７】
また、リーダ交信アンテナ４０１およびインレット磁界結合アンテナ４０２のインピーダンス（すなわち、電磁気学で知られた微小コイルアンテナのインピーダンス）と、中継ケーブル４０３のインピーダンス（すなわち、電磁気学で知られた平行２線伝送ケーブルなどの特性インピーダンス）とを一致させる（インピーダンスマッチング）と、ロスの少ない接続が可能となる。また、中継ケーブル４０３が短いほど、ロスが少なくなる。
【００７８】
また、リーダ交信アンテナ４０１、インレット磁界結合アンテナ４０２、および、それらを接続する中継ケーブル４０３は、図２０に示されるように、シート基板４４１を用いて構成するようにしてもよい。すなわち、リーダ交信アンテナ４０１、インレット磁界結合アンテナ４０２、および、それらを接続する中継ケーブル４０３をシート基板４１１にプリントすることにより構成するものとしてもよい。中継ケーブル４０３として中継ケーブル４０３ｂのように導体部分が捻られた構成をとりたい場合は、シート基板４４１を両面基板とすることにより実現可能であるし、シート基板４４１にプリントされた中継ケーブル４０３部分を捻ってもよい。
【００７９】
次に、図２１は、ＩＣタグ２００の第３の構成例であるＩＣタグ２００ｃの構成を示す斜視図である。図２１に示すように、ＩＣタグ２００ｃは、ＩＣタグ２００ａおよびＩＣタグ２００ｂと同様に、タグ保持部２１０ｃ、ＩＣインレット２２０、インレット磁界結合アンテナ４０２、および、中継ケーブル４０３とを有しているとともに、リーダ交信アンテナ４０１に代わってリーダ交信アンテナ４０１ａを有している。
【００８０】
リーダ交信アンテナ４０１ａは、その機能は、リーダ交信アンテナ４０１と同等であるが、ＩＣインレット２２０の摺動面１０４ａ等と平行な面に直交する方向の厚みを大きく取っている。上杵１００、下杵１１０および臼部材１２０は、その製造時の仕上げ工程で、微調整のため切削される場合がある。また、上杵１００、下杵１１０および臼部材１２０は、その使用過程において、その表面が摩耗してしまう場合がある。リーダ交信アンテナ４０１ａの厚みは、上杵１００、下杵１１０および臼部材１２０が製造工程のため切削される厚みや、求められる耐久性能において摩耗すると考えられる厚みによって決まる所定の厚みであり、例えば、摺動面１０４ａ等と平行な面におけるリーダ交信アンテナ４０１ａの太さまたは線幅と同等以上が好適である。この、リーダ交信アンテナ４０１ａの厚みは、太さまたは線幅に対して、１倍〜２倍程度が扱いやすいが、これに限定されるものではない。
【００８１】
これにより、リーダ交信アンテナ４０１ａは、タグ検出部８０のコイルアンテナ８１にできるだけ直近対向することができるとともに、多少切削されてもその機能を保有することができ、摩耗に対しての耐性を向上することができるようになされている。なお、上述したリーダ交信アンテナ４０１ａの厚みとは、摺動面１０４ａ等と直交する断面における高さであり、リーダ交信アンテナ４０１ａが研磨または摩耗した場合、その幅が大きく変動しないよう、摺動面１０４ａ等と直交する断面が円形であるよりも、矩形または矩形に近い形状であると好適である。
【００８２】
このように、ＩＣタグ２００ｃは、タグ通信の感度をより向上させ、ＩＣインレット２２０が打撃等で受ける衝撃や摩耗により故障してしまうことを防ぎつつ、切削や摩耗に対する耐性を有することができるように構成されている。
【００８３】
なお、図２１においては、リーダ交信アンテナ４０１およびインレット磁界結合アンテナ４０２を１回巻きのコイル状アンテナとして図示しているが、コイルの巻き数はこの限りではなく、一般的には、アンテナ径が小さいほど、巻き数は多くなる。ただし、例えば、９２０ＭＨｚの周波数にて動作させる場合、巻き数は、多くても２〜３程度となる。
【００８４】
また、ＩＣタグ２００ｃにおいては、ＩＣタグ２００ｂにおける場合と同様に、それぞれの相互誘導磁界φが重なって通信に悪影響を及ぼさない限りにおいて、ＩＣインレット２２０がどのような向きでどのような位置に設置されても構わない。また、ＩＣタグ２００ｃにおいても、図１４を用いて説明した空気逃がし溝３５１を設けてもよいことは言うまでもない。
【００８５】
なお、ＩＣタグ２００ｃにおいては、タグ検出部８０のコイルアンテナ８１とＩＣタグ２００ｃのＩＣインレット２２０のコイルアンテナ２２３との通信に関しては、図１６を用いて説明した場合と基本的に同様であるので、その詳細な説明は省略する。
【００８６】
次に、図２２および図２３を用いて、ＩＣタグ２００の第４の構成例であるＩＣタグ２００ｄについて説明する。図２２は、ＩＣタグ２００ｄの構成を示す斜視図である。図２３は、タグ検出部８０のコイルアンテナ８１とＩＣタグ２００ｄのＩＣインレット２２０のコイルアンテナ２２３との通信について説明するための図である。
【００８７】
図２２に示すように、ＩＣタグ２００ｄは、ＩＣタグ２００ａ〜ＩＣタグ２００ｃと同様に、タグ保持部２１０ｄ、ＩＣインレット２２０、リーダ交信アンテナ４０１ａ、および、インレット磁界結合アンテナ４０２とを有しているとともに、奇数回（例えば、１回または３回）捻られた中継ケーブル４０３ｂを有している。ＩＣタグ２００ｄにおいては、ＩＣインレット２２０が、摺動面１０４ａ等とほぼ平行（すなわち、平行には多少の誤差が含まれる）に設置されている。すなわち、ＩＣタグ２００ｄにおいては、ＩＣタグ２００ａ〜ＩＣタグ２００ｃと比較して、摺動面１０４ａ等と平行な面に対して直交する方向（軸方向）の長さを短くすることができる。
【００８８】
図２３に示すように、ＩＣタグ２００ｄにおいては、奇数回（例えば、１回または３回）捻られた中継ケーブル４０３ｂにより、リーダ交信アンテナ４０１、インレット磁界結合アンテナ４０２、および、ＩＣインレット２２０のコイルアンテナ２２３に流れる高周波電流の向きは同一となる。すなわち、タグ検出部８０のコイルアンテナ８１が近接することにより発生する相互誘導磁界φは、リーダ交信アンテナ４０１、インレット磁界結合アンテナ４０２、および、ＩＣインレット２２０のコイルアンテナ２２３を共通に貫通するので、この電磁結合により、タグ通信が良好に実行される。
【００８９】
なお、図２２および図２３においては、リーダ交信アンテナ４０１ａを有しているものとして図示しているが、リーダ交信アンテナ４０１を用いることが可能であることは言うまでもない。また、図２２および図２３においては、リーダ交信アンテナ４０１ａおよびインレット磁界結合アンテナ４０２を１回巻きのコイル状アンテナとして図示しているが、コイルの巻き数はこの限りではなく、一般的には、アンテナ径が小さいほど、巻き数は多くなる。ただし、例えば、９２０ＭＨｚの周波数にて動作させる場合、巻き数は、多くても２〜３程度となる。また、ＩＣタグ２００ｄにおいても、図１４を用いて説明した空気逃がし溝３５１を設けてもよいことは言うまでもない。
【００９０】
このような構成とすることにより、ＩＣタグ２００ｄは、良好な通信性能を有しつつ、上述したＩＣタグａ〜ＩＣタグｃと比較して、摺動面１０４ａ等と平行な面に対して直角方向の高さを削減することが可能となる。ＩＣタグ２００が小さいほど、上杵１００、下杵１１０および臼部材１２０の強度は高くなるため、ＩＣタグ２００ｄを用いることにより、上杵１００、下杵１１０および臼部材１２０の強度を保つことが可能となる。ただし、上述したＩＣタグ２００ａ〜ＩＣタグ２００ｃにおいて、ＩＣインレットを摺動面１０４ａ等と平行な面に対して直角に設置した場合と比較して、その外周方向の直径は、ほぼルート２倍になる。
【００９１】
次に、図２４および図２５を用いて、ＩＣタグ２００の第５の構成例であるＩＣタグ２００ｅについて説明する。図２４は、ＩＣタグ２００の第５の構成例であるＩＣタグ２００ｅの構成を示す斜視図である。図２５は、タグ検出部８０のコイルアンテナ８１とＩＣタグ２００ｅのＩＣインレット２２０のコイルアンテナ２２３との通信について説明するための図である。
【００９２】
例えば、図２０を用いて説明したシート基板４４１を用いた構成を安価に製作したい場合などには、中継ケーブル４０３ｂのようなねじり部分を有していない中継ケーブル４０３ａを用いることが好適である。また、製造上の都合などにより、ＩＣインレット２２０を摺動面１０４ａ等とほぼ平行に設置することが求められる場合がある。ＩＣタグ２００ｅは、良好な通信性能を有しつつ、このような要求を満たすものである。
【００９３】
図２４に示すように、ＩＣタグ２００ｅは、ＩＣタグ２００ａ〜ＩＣタグ２００ｄと同様に、タグ保持部２１０ｅ、ＩＣインレット２２０、リーダ交信アンテナ４０１ａ、および、インレット磁界結合アンテナ４０２とを有しているとともに、ねじりを有さない中継ケーブル４０３ａが用いられている。ＩＣタグ２００ｅにおいては、ＩＣインレット２２０がＩＣタグ２００ｄと同様に、摺動面１０４ａ等とほぼ平行に設置されている。なお、ねじりを有さない中継ケーブル４０３ａに代わって、中継ケーブル４０３ｃ、または、偶数回捻られた中継ケーブル４０３ｂが用いられていてもよい。
【００９４】
ＩＣタグ２００ｅにおいては、ねじりを有さない中継ケーブル４０３ａ（または、中継ケーブル４０３ｃ、もしくは、偶数回捻られた中継ケーブル４０３ｂ）が用いられているため、図２５に示されるように、リーダ交信アンテナ４０１に流れる高周波電流の向きと、インレット磁界結合アンテナ４０２およびＩＣインレット２２０のコイルアンテナ２２３に流れる高周波電流の向きとは異なる。
【００９５】
そのため、ＩＣタグ２００ｅにおいては、図２４に示すように、リーダ交信アンテナ４０１ａとインレット磁界結合アンテナ４０２とは、それぞれの相互誘導磁界φが反発しあって打ち消し合うことにより通信に悪影響を及ぼしてしまうことを防ぐための距離ｈ以上離れて設置されている。距離ｈは、リーダ交信アンテナ４０１およびインレット磁界結合アンテナ４０２の直径に相当するが、それ以上離れていても良いのは勿論である。
【００９６】
ＩＣタグ２００ｅにおいては、図２５に示すように、リーダ交信アンテナ４０１ａを用いて、タグ検出部８０のコイルアンテナ８１とトランス結合するとともに、リーダ交信アンテナ４０１ａと中継ケーブル４０３により接続されているインレット磁界結合アンテナ４０２によってＩＣインレット２２０のコイルアンテナ２２３とトランス結合する。そして、リーダ交信アンテナ４０１ａとインレット磁界結合アンテナ４０２とを距離ｈ以上離すことにより、それらのトランス結合が、それぞれ独立したものとなるように構成されている。
【００９７】
このような構成を有することにより、ＩＣタグ２００ｅは、良好な通信性能を有しつつ、図２０を用いて説明したシート基板４４１を用いた構成を安価に製作したい場合や、製造上の都合などにより、ＩＣインレット２２０を摺動面１０４ａ等とほぼ平行に設置することが求められる場合に対応することが可能となる。
【００９８】
なお、図２４および図２５においては、リーダ交信アンテナ４０１ａを有しているものとして図示しているが、リーダ交信アンテナ４０１を用いることが可能であることは言うまでもない。また、図２４および図２５においては、リーダ交信アンテナ４０１ａおよびインレット磁界結合アンテナ４０２を１回巻きのコイル状アンテナとして図示しているが、コイルの巻き数はこの限りではなく、一般的には、アンテナ径が小さいほど、巻き数は多くなる。ただし、例えば、９２０ＭＨｚの周波数にて動作させる場合、巻き数は、多くても２〜３程度となる。また、ＩＣタグ２００ｅにおいても、図１４を用いて説明した空気逃がし溝３５１を設けてもよいことは言うまでもない。
【００９９】
次に、図２６〜図２８を用いて、ＩＣタグ２００の第６の構成例であるＩＣタグ２００ｆについて説明する。図２６は、ＩＣタグ２００ｆの構成を示す斜視図である。図２７は、ＩＣタグ２００ｆの磁界遮断板４６１について説明するための図である。図２８は、タグ検出部８０のコイルアンテナ８１とＩＣタグ２００ｆのＩＣインレット２２０のコイルアンテナ２２３との通信について説明するための図である。
【０１００】
例えば、図２０を用いて説明したシート基板４４１を用いた構成を安価に製作したい場合などには、中継ケーブル４０３ｂのようなねじり部分を有さない中継ケーブル４０３ａを用いることが好適である。また、製造上の都合などにより、ＩＣインレット２２０を摺動面１０４ａ等とほぼ平行に設置することが求められる場合がある。このような要求を満たす上述したＩＣタグ２２０ｅに対して、ＩＣタグ２００ｆは、摺動面１０４ａ等と直交する方向の高さ（寸法）をＩＣタグ２２０ｅよりも低く（短く）する設計が可能なように構成されている。
【０１０１】
図２６に示すように、ＩＣタグ２００ｆは、ＩＣタグ２００ａ〜ＩＣタグ２００ｅと同様に、タグ保持部２１０ｆ、ＩＣインレット２２０、リーダ交信アンテナ４０１ａ、および、インレット磁界結合アンテナ４０２とを有しているとともに、中継ケーブル４０３ａが用いられ、更に、リーダ交信アンテナ４０１ａとインレット磁界結合アンテナ４０２との間に磁界遮断板４６１を有している。図２７に示すように、磁界遮断板４６１は、２つの絶縁層４７１を用いて金属層４７２を挟み込んだ板状の形状を有し、その両面側において発生する磁界が、他の面の磁界に対してそれぞれ影響を及ぼすことの無いよう、金属層４７２で磁界を遮断する。
【０１０２】
ＩＣタグ２００ｆにおいても、ねじりを有さない中継ケーブル４０３ａが用いられているため、図２８に示されるように、リーダ交信アンテナ４０１に流れる高周波電流の向きと、インレット磁界結合アンテナ４０２およびＩＣインレット２２０のコイルアンテナ２２３に流れる高周波電流の向きとは異なる。しかしながら、リーダ交信アンテナ４０１ａとインレット磁界結合アンテナ４０２との間に磁界遮断板４６１が設置されているため、ＩＣタグ２００ｆにおいては、リーダ交信アンテナ４０１ａを用いて、タグ検出部８０のコイルアンテナ８１とトランス結合するとともに、リーダ交信アンテナ４０１ａと中継ケーブル４０３により接続されているインレット磁界結合アンテナ４０２によってＩＣインレット２２０のコイルアンテナ２２３とトランス結合し、それらのトランス結合は、それぞれ独立したものとなるように構成されている。これにより、リーダ交信アンテナ４０１ａとインレット磁界結合アンテナ４０２とは、図２４の距離ｈよりも近接して設置することが可能となる。
【０１０３】
なお、図２６および図２８においては、リーダ交信アンテナ４０１ａを有しているものとして図示しているが、リーダ交信アンテナ４０１を用いることが可能であることは言うまでもない。また、図２６および図２８においては、リーダ交信アンテナ４０１ａおよびインレット磁界結合アンテナ４０２を１回巻きのコイル状アンテナとして図示しているが、コイルの巻き数はこの限りではなく、一般的には、アンテナ径が小さいほど、巻き数は多くなる。ただし、例えば、９２０ＭＨｚの周波数にて動作させる場合、巻き数は、多くても２〜３程度となる。また、ＩＣタグ２００ｆにおいても、図１４を用いて説明した空気逃がし溝３５１を設けてもよいことは言うまでもない。
【０１０４】
＜４．作用効果について＞
以上のような構成のＩＣ保有体（ＩＣタグ２００ａ〜ＩＣタグ２００ｆ）によると、粉末を加圧成形するロータリプレス装置１０の上杵１００および下杵１１０の頭部１０４，１１４に埋設され、ＩＣチップ２２２およびコイルアンテナ２２３を有するＩＣインレット２２０が内蔵されたＩＣタグ２００ａ〜ＩＣタグ２００ｆであって、ＩＣインレット２２０は、ＩＣタグ２００ａ〜ＩＣタグ２００ｆの中心軸線に対して略平行であり、かつ中心軸線より所定の距離だけシフトした位置に設置される、または、タグ検出部８０およびコイルアンテナ８１と通信するためのリーダ交信アンテナ４０１，４０１ａ、ＩＣインレット２２０と通信するためのインレット磁界結合アンテナ４０２、および、それらを接続する中継ケーブル４０３を有するアンテナ中継器を備え、リーダ交信アンテナ４０１，４０１ａは、ロータリプレス装置１０の上杵１００および下杵１１０の頭部１０４，１１４表面側に設置され、インレット磁界結合アンテナ４０２は、ロータリプレス装置１０の上杵１００および下杵１１０の頭部１０４，１１４表面から所定の深さに設置されたＩＣインレット２２０に近接対向して設置される。すなわち、上杵１００および下杵１１０には、ＩＣタグ２００が取り付けられている。したがって、上杵１００および下杵１１０に取り付けられているＩＣタグ２００が備えるＩＣチップ２２２のデータを読み込んだり、ＩＣチップ２２２にデータを書き込むことにより、ロータリプレス装置１０に上杵１００や下杵１１０を装着する際に、装着ミスを防ぐことが可能となる。
【０１０５】
すなわち、ある上杵１００に対しては、どの臼部材１２０や下杵１１０を用いるのかについて、予め定められている場合が多い。一方で、現状は、上杵１００や上杵１００を目視にて確認しつつロータリプレス装置１０に装着している。その場合、装着ミス等の人為的なミスが発生する虞がある。特に、上杵１００や下杵１１０に刻印されている個体識別番号は、小さい字で刻印される場合が多く、目視がし難い場合が多い。
【０１０６】
このような装着ミスが生じると、たとえば刻印ミス等が生じた錠剤を大量に生産してしまったり、規定の加圧力とは異なる圧力にて加圧成形された錠剤を大量に生産してしまう等の不具合が発生する場合がある。
【０１０７】
これに対して、本実施の形態では、上杵１００および下杵１１０には、ＩＣタグ２００が取り付けられていて、そのＩＣタグ２００が備えるＩＣチップ２２２のデータを読み込んだり、ＩＣチップ２２２にデータを書き込むことにより、ロータリプレス装置１０に上杵１００や下杵１１０を装着する際に、装着ミスを防ぐことが可能となる。したがって、たとえば刻印ミス等が生じた錠剤を大量に生産してしまったり、規定の加圧力とは異なる圧力にて加圧成形された錠剤を大量に生産してしまう等の不具合を防止可能となる。
【０１０８】
また、上杵１００や下杵１１０をロータリプレス装置１０に装着する際に、小さい字で刻印されている個体識別番号を読む必要がない。そのため、上杵１００や下杵１１０を、ロータリプレス装置１０に対して素早く装着することができる。
【０１０９】
また、本実施の形態では、上杵１００や下杵１１０の寿命管理をすることができる。すなわち、上杵１００および下杵１１０の頭部１０４，１１４には、錠剤を形成する際に高い圧力がかかる。したがって、頭部１０４，１１４では、打錠回数に応じた摩耗が生じる。そして、所定の摩耗量を超えると、その分だけ成形の際の加圧力が変化してしまい、錠剤の成形不良が生じたり、錠剤への刻印が不明瞭になる等してしまい、不良品の錠剤を大量に生産してしまう虞がある。
【０１１０】
しかしながら、本実施の形態では、上杵１００や下杵１１０にはＩＣタグ２００が取り付けられているので、そのＩＣタグ２００が備えるＩＣチップ２２２のデータを利用して、上杵１００や下杵１１０の使用開始時期や寿命到来時期を管理することができる。したがって、上杵１００や下杵１１０の摩耗量を予測することができ、不良品の錠剤が形成されるのを防止することができる。
【０１１１】
また、本実施の形態では、ＩＣインレット２２０は、ＩＣタグ２００ａ〜ＩＣタグ２００ｆの中心軸線に対して略平行であり、かつ中心軸線より所定の距離だけシフトした位置に設置される、または、タグ検出部８０およびコイルアンテナ８１と通信するためのリーダ交信アンテナ４０１，４０１ａ、ＩＣインレット２２０と通信するためのインレット磁界結合アンテナ４０２、および、それらを接続する中継ケーブル４０３を有するアンテナ中継器を備え、リーダ交信アンテナ４０１，４０１ａは、ロータリプレス装置１０の上杵１００および下杵１１０の頭部１０４，１１４表面側に設置され、インレット磁界結合アンテナ４０２は、ロータリプレス装置１０の上杵１００および下杵１１０の頭部１０４，１１４表面から所定の深さに設置されたＩＣインレット２２０に対向して設置される。このため、上加圧ローラ５０や下加圧ローラ６０によって、タグ挿入穴１０４ｂ，１１４ｂに嵌め込まれているＩＣタグ２００ａ〜ＩＣタグ２００ｆが高い押圧力で押圧されても、ＩＣタグ２００のＩＣインレット２２０が故障してしまうことを防止可能となる。したがって、上杵１００や下杵１１０の個体管理を長期に亘り確実に行うことができる。
【０１１２】
また、本実施の形態では、リーダ交信アンテナ４０１ａ、インレット磁界結合アンテナ４０２、および、中継ケーブル４０３を備え、リーダ交信アンテナ４０１ａは、ロータリプレス装置１０の上杵１００および下杵１１０の頭部１０４，１１４表面側に設置され、インレット磁界結合アンテナ４０２は、ロータリプレス装置１０の上杵１００および下杵１１０の頭部１０４，１１４表面から所定の深さに設置されたＩＣインレット２２０に対向して設置され、リーダ交信アンテナ４０１ａの配線の太さあるいは厚みや幅は、ロータリプレス装置１０の上杵１００および下杵１１０の頭部１０４，１１４表面と平行な面における配線幅よりも、ロータリプレス装置１０の上杵１００および下杵１１０の頭部１０４，１１４表面と直交する方向の厚みが大きくなるように構成される。
【０１１３】
インレット磁界結合アンテナ４０２は、ロータリプレス装置１０の上杵１００および下杵１１０の頭部１０４，１１４表面に対し、平行または直交であってもよいし、所定の角度を有していてもよい。また、リーダ交信アンテナ４０１ａの、インレット磁界結合アンテナ４０２の、ロータリプレス装置１０の上杵１００および下杵１１０の頭部１０４，１１４表面と直交する方向の厚みは、平行な面における配線幅に対して、１倍〜２倍程度が扱いやすいが、これに限定されるものではない。
【０１１４】
上杵１００、下杵１１０は、その製造時の仕上げ工程で、微調整のため切削される場合がある。また、上杵１００、下杵１１０は、その使用過程において、その表面が摩耗してしまう場合がある。そのため、リーダ交信アンテナ４０１ａは、上杵１００、下杵１１０および臼部材１２０が製造工程のため切削される厚みや、求められる耐久性能において摩耗すると考えられる厚みによって決まる厚み、例えば、リーダ交信アンテナ４０１ａの配線幅よりも大きな厚みまたは太さを有することで、タグ検出部８０のコイルアンテナ８１にできるだけ直近対向することができるとともに、多少切削されてもその機能を保有することができ、摩耗に対しての耐性を向上することが可能となる。
【０１１５】
さらに、本実施の形態では、リーダ交信アンテナ４０１，４０１ａ、インレット磁界結合アンテナ４０２、および、中継ケーブル４０３を備え、リーダ交信アンテナ４０１，４０１ａは、ロータリプレス装置１０の上杵１００および下杵１１０の頭部１０４，１１４表面側に設置され、インレット磁界結合アンテナ４０２は、ロータリプレス装置１０の上杵１００および下杵１１０の頭部１０４，１１４表面から所定の深さに設置されたＩＣインレット２２０に対向して設置され、中継ケーブル４０３は、奇数回捻られ、ＩＣインレット２２０は、ロータリプレス装置１０の上杵１００および下杵１１０の頭部１０４，１１４表面に対して略平行に設置され、リーダ交信アンテナ４０１，４０１ａとインレット磁界結合アンテナ４０２とに流れる電流は、ロータリプレス装置１０の上杵１００および下杵１１０の頭部１０４，１１４表面に対して同一方向となる。この場合、リーダ交信アンテナ４０１，４０１ａの面と、インレット磁界結合アンテナ４０２の面とは、ほぼ平行となり、それらの面間距離を、各アンテナ面の直径の値に比べて十分に小さくすることができる。したがって、ＩＣタグ２００の摺動面１０４ａ等と平行な面と直交する方向の高さ（寸法）を低く（短く）することができる。
【０１１６】
さらに、本実施の形態では、リーダ交信アンテナ４０１，４０１ａ、インレット磁界結合アンテナ４０２、および、中継ケーブル４０３を備え、リーダ交信アンテナ４０１，４０１ａは、ロータリプレス装置１０の上杵１００および下杵１１０の頭部１０４，１１４表面側に設置され、インレット磁界結合アンテナ４０２は、ロータリプレス装置１０の上杵１００および下杵１１０の頭部１０４，１１４表面から所定の深さに設置されたＩＣインレット２２０に対向して設置され、ＩＣインレット２２０は、ロータリプレス装置１０の上杵１００および下杵１１０の頭部１０４，１１４表面に対して略平行に設置され、リーダ交信アンテナ４０１，４０１ａとインレット磁界結合アンテナ４０２とは、リーダ交信アンテナ４０１，４０１ａとインレット磁界結合アンテナ４０２の直径以上離して設置される。
【０１１７】
したがって、ＩＣタグ２００ｅにおいては、リーダ交信アンテナ４０１，４０１ａを用いて、タグ検出部８０のコイルアンテナ８１とトランス結合するとともに、リーダ交信アンテナ４０１ａと中継ケーブル４０３により接続されているインレット磁界結合アンテナ４０２によってＩＣインレット２２０のコイルアンテナ２２３とトランス結合する。そして、中継ケーブル４０３が捻られていない場合、偶数回捻られている場合、または、何回捻るかが定まらない場合、すなわち、リーダ交信アンテナ４０１，４０１ａとインレット磁界結合アンテナ４０２とに流れる電流が逆方向であっても、それらのトランス結合が、それぞれ独立したものとなるように構成されている。このような構成を有することにより、良好な通信性能を有しつつ、シート基板４４１を用いた構成を安価に製作したい場合や、製造上の都合などにより、ＩＣインレット２２０を摺動面１０４ａ等とほぼ平行に設置することが求められる場合に対応することが可能となる。
【０１１８】
また、本実施の形態では、リーダ交信アンテナ４０１，４０１ａ、インレット磁界結合アンテナ４０２、および、中継ケーブル４０３を備え、リーダ交信アンテナ４０１，４０１ａは、ロータリプレス装置１０の上杵１００および下杵１１０の頭部１０４，１１４表面側に設置され、インレット磁界結合アンテナ４０２は、ロータリプレス装置１０の上杵１００および下杵１１０の頭部１０４，１１４表面から所定の深さに設置されたＩＣインレット２２０に対向して設置され、ＩＣインレット２２０は、ロータリプレス装置１０の上杵１００および下杵１１０の頭部１０４，１１４表面に対して略平行に設置され、リーダ交信アンテナ４０１，４０１ａとインレット磁界結合アンテナ４０２との間には、磁界を遮断する磁界遮断板４６１が設置され、その両面の磁界がそれぞれ影響を及ぼさないようになされている。
【０１１９】
したがって、ＩＣタグ２００ｆにおいては、リーダ交信アンテナ４０１，４０１ａを用いて、タグ検出部８０のコイルアンテナ８１とトランス結合するとともに、リーダ交信アンテナ４０１ａと中継ケーブル４０３により接続されているインレット磁界結合アンテナ４０２によってＩＣインレット２２０のコイルアンテナ２２３とトランス結合する。そして、それらのトランス結合が、磁界遮断板４６１により、それぞれ独立したものとなるように構成されている。具体的には、中継ケーブル４０３が捻られていない場合、偶数回捻られている場合、または、何回捻るかが定まらない場合、すなわち、リーダ交信アンテナ４０１，４０１ａとインレット磁界結合アンテナ４０２とに流れる電流が逆方向であっても、磁界遮断板４６１により、リーダ交信アンテナ４０１，４０１ａと、インレット磁界結合アンテナ４０２とが、互いの交信や結合の動作を妨害して動作をキャンセルしてしまうことを防止することが可能となる。このような構成を有することにより、良好な通信性能を有しつつ、シート基板４４１を用いた構成を安価で用いたい場合や、製造上の都合などにより、ＩＣインレット２２０を摺動面１０４ａ等とほぼ平行に設置することが求められる場合に対応する場合においても、ＩＣタグ２００の摺動面１０４ａ等と平行な面に対して直交する方向の高さ（寸法）を低く（短く）することが可能となる。
【０１２０】
＜５．変形例＞
以上、本発明の一実施の形態について説明したが、本発明はこれ以外にも種々変形可能となっている。例えば、上述の実施の形態においては、ＲＦＩＤ通信にて用いられるＵＨＦ帯の周波数として９２０ＭＨｚが挙げられている。しかしながら、ＲＦＩＤ通信にて用いられるＵＨＦ帯の周波数としては、たとえば８６０ＭＨｚから９６０ＭＨｚの帯域であれば、どのような周波数であっても良い。また、ＲＦＩＤ通信にて用いられる周波数としては、ＵＨＦ帯の周波数には限られず、２．４５ＧＨｚを中心とする周波数であっても良く、４３３ＭＨｚを中心とする周波数であっても良く、その他の周波数であっても良い。
【０１２１】
また、上述の実施の形態においては、凸部としてリング状凸部１０４ｂ１，１１４ｂ１，１２４ａについて説明している。しかしながら、凸部はリング状凸部１０４ｂ１，１１４ｂ１，１２４ａには限られない。たとえば、完全なリング状ではないがリング状の少なくとも一部分が欠落した凸部であっても良く、その他プレス加工やシボ加工その他の転写加工によって形成される、不規則な凹凸のうちの凸部であっても良い。
【符号の説明】
【０１２２】
１０…ロータリプレス装置、２０…ロータ支持部、３０…ロータブロック、３１…上ガイド部、３１ａ…内周凸部、３２…上杵ロータ部、３２ａ，３３ａ，３４ａ…装着孔、３３…臼ロータ部、３４…下杵ロータ部、３５…下ガイド部、４０…ローラ支柱、５０…上加圧ローラ、５０Ａ…上予圧用ローラ、５０Ｂ…上本加圧用ローラ、６０…下加圧ローラ、６０Ａ…下予圧用ローラ、６０Ｂ…下本加圧用ローラ、７０…錠剤排出機構、８０…タグ検出部、８１…コイルアンテナ、８２…ケーブル、１００…上杵、１０１，１１１…本体部、１０２，１１２…挿入部、１０２ａ，１１２ａ…錠剤加圧部、１０３，１１３…くびれ部、１０４，１１４…頭部、１０４ａ，１１４ａ…摺動面、１０４ｂ，１１４ｂ…タグ挿入穴、１０４ｂ１，１１４ｂ１，１２４ａ…リング状凸部、１１０…下杵、１２０…臼部材、１２１…筒状部、１２２…ガイド凹部、１２３…挿入孔、１２４…タグ挿入穴、２００ａ，２００ｂ，２００ｃ，２００ｄ，２００ｅ，２００ｆ…ＩＣタグ、２１０ａ，２１０ｂ，２１０ｃ，２１０ｄ，２１０ｅ，２１０ｆ…タグ保持部２２０…ＩＣインレット、２２１…ＩＣタグ基板、２２２…ＩＣチップ、２２３…コイルアンテナ、３００…リーダ装置、３０１…上位システム、３１１…ガイドレール支持盤、３１２…上杵ガイドレール、３１２Ａ…降下用ガイドレール、３１２Ｂ…上昇ガイドレール、４０１，４０１ａ…リーダ交信アンテナ、４０２…インレット磁界結合アンテナ、４０３…中継ケーブル
【図１】
0006732943.tif 000002
【図２】
0006732943.tif 000003
【図３】
0006732943.tif 000004
【図４】
0006732943.tif 000005
【図５】
0006732943.tif 000006
【図６】
0006732943.tif 000007
【図７】
0006732943.tif 000008
【図８】
0006732943.tif 000009
【図９】
0006732943.tif 000010
【図１０】
0006732943.tif 000011
【図１１】
0006732943.tif 000012
【図１２】
0006732943.tif 000013
【図１３】
0006732943.tif 000014
【図１４】
0006732943.tif 000015
【図１５】
0006732943.tif 000016
【図１６】
0006732943.tif 000017
【図１７】
0006732943.tif 000018
【図１８】
0006732943.tif 000019
【図１９】
0006732943.tif 000020
【図２０】
0006732943.tif 000021
【図２１】
0006732943.tif 000022
【図２２】
0006732943.tif 000023
【図２３】
0006732943.tif 000024
【図２４】
0006732943.tif 000025
【図２５】
0006732943.tif 000026
【図２６】
0006732943.tif 000027
【図２７】
0006732943.tif 000028
【図２８】
0006732943.tif 000029